(57)【特許請求の範囲】
【請求項１】
鏡筒内の第１のレンズ保持手段に設けられた開口部を閉鎖すべく移動可能に設けられた閉鎖部材と、
前記第１のレンズ保持手段と同軸上に配された第２のレンズ保持手段の該第１レンズ保持手段側の端部に設けられた部材であって、前記閉鎖部材を前記開口部に当接させる当接部材と、
前記閉鎖部材を前記開口部から離間させる離間部材とを有し、
前記離間部材は、前記鏡筒が不使用状態にあるときに前記閉鎖部材を前記開口部から離間させ、
前記当接部材は、前記鏡筒が使用状態にあるときに前記閉鎖部材を前記開口部に当接させることを特徴とする鏡筒。
【請求項２】
前記当接部材が前記閉鎖部材を前記開口部に当接させた後、前記当接部材を前記閉鎖部材から離間させる他の離間部材を有することを特徴とする請求項１記載の鏡筒。
【請求項３】
前記他の離間部材は、前記鏡筒内のレンズ保持手段と同軸上に配された他のレンズ保持手段であることを特徴とする請求項２記載の鏡筒。
【請求項４】
請求項１乃至３のいずれか１項に記載の鏡筒と、複数のレンズと、前記複数のレンズを通過した被写体光を受光する撮像素子とを備えることを特徴とする撮像装置。
【発明の詳細な説明】
【技術分野】
【０００１】
本発明は、デジタルカメラ及びフィルムカメラまたはビデオカメラ等の撮像装置に具備される鏡筒、及び該鏡筒を備える撮像装置に関する。
【背景技術】
【０００２】
近年、フィルムを使用せずに画像をメモリに取り込むことができるデジタルカメラが急速に普及している。このデジタルカメラの中には、鏡筒ユニットを用いて複数の光学レンズを光軸方向に移動させ撮影倍率を変更するズーム機構を備えるものがある。
【０００３】
例えば、特許文献１には、複数のレンズを保持する複数のレンズ保持手段をカムリングで光軸方向に移動させると共に、回転規制手段によりレンズ保持手段の回転方向への移動を規制する撮影レンズ鏡筒が開示されている。この構成によれば、光学レンズを指定の位置に移動させることが可能である。
【特許文献１】特開平０７−０２７９６２号公報  従来、上記のようなデジタルカメラでは、鏡筒の内部に有害光が進入しないように様々な方法が用いられている。例えば、鏡筒の内部において光学レンズの中心に入射した光線のみを囲うように蛇腹状の筒を設けることにより、光学レンズを保持するレンズホルダと鏡筒との間の開口部から鏡筒の内部への有害光の進入を防ぐ方法がある。
【発明の開示】
【発明が解決しようとする課題】
【０００４】
しかしながら、上記蛇腹状の筒では、蛇腹状の筒を設置できるように鏡筒の内部にスペースを設ける必要があるため、他の構成部品の配置によっては鏡筒の内部に蛇腹状の筒を設けることが難しく、確実に有害光を遮光することができないという問題がある。また、鏡筒の内部に蛇腹状の筒を設けることができた場合であっても、有害光を遮光することができるのは蛇腹状の筒が届く範囲に限られ、蛇腹状の筒が届かない範囲では有害光を遮光することができない。さらに、複数のレンズホルダ間の開口部を機械的に塞ぐようにすると、一のレンズホルダを他のレンズホルダと干渉しないように設ける必要があるため、デジタルカメラ全体が大型化してしまうという問題がある。
【０００５】
本発明の目的は、小型化を実現すると共に確実な遮光性能を得ることができる鏡筒及び該鏡筒を備える撮像装置を提供することにある。
【課題を解決するための手段】
【０００６】
上記目的を達成するために、本発明に係る鏡筒は、鏡筒内の第１のレンズ保持手段に設けられた開口部を閉鎖すべく移動可能に設けられた閉鎖部材と、前記第１のレンズ保持手段と同軸上に配された第２のレンズ保持手段の該第１レンズ保持手段側の端部に設けられた部材であって、前記閉鎖部材を前記開口部に当接させる当接部材と、前記閉鎖部材を前記開口部から離間させる離間部材とを有し、前記離間部材は、前記鏡筒が不使用状態にあるときに前記閉鎖部材を前記開口部から離間させ、前記当接部材は、前記鏡筒が使用状態にあるときに前記閉鎖部材を前記開口部に当接させることを特徴とする。 
【発明の効果】
【０００７】
本発明によれば、当接部材は、前記鏡筒が使用状態にあるときに閉鎖部材を開口部に当接させ、一方、離間部材は、鏡筒が不使用状態にあるときに閉鎖部材を開口部から離間させるので、近接する他の構成部品と係合するように設けられた開口部から進入する光を確実に遮光することができ、もって小型化を実現すると共に確実な遮光性能を得ることができる。
【発明を実施するための最良の形態】
【０００８】
以下、本発明の実施の形態を図面を参照しながら詳述する。
【０００９】
図１は、本発明の実施の形態に係る鏡筒を備えるデジタルカメラの撮影時の状態を概略的に示す斜視図であり、図２は、図１のデジタルカメラの非撮影時の状態を概略的に示す斜視図である。
【００１０】
図１及び図２において、デジタルカメラ１５は、その正面側（被写体側）において、被写体の構図を決めるファインダ１４と、測光測距を行う測光測距センサ１３と、被写体画像の赤目を防止する赤目ランプ１６と、被写体を照射するストロボ１７と、第１レンズ群１０ａが配置されている撮影レンズ鏡筒１０と、デジタルカメラ１５内に収容された撮影レンズ鏡筒１０の前面を覆うように設けられ、撮影時には横方向（デジタルカメラ１５の長手方向）にスライドすることにより撮影レンズ鏡筒１０を開放するスライドバリア部材１８とを備える。
【００１１】
デジタルカメラ１５はいわゆるスライドバリアタイプのカメラであり、撮影時は、スライドバリア部材１８をデジタルカメラ１５のカメラ本体に対して横方向にスライドさせる（図１）。これにより、撮影レンズ鏡筒１０が被写体方向に開放される。
【００１２】
一方、非撮影時は、撮影レンズ鏡筒１０がデジタルカメラ１５のカメラ本体に収容された後、スライドバリア部材１８を撮影時における移動方向と反対方向にスライドさせる。これにより、撮影レンズ鏡筒１０の前面、測光測距センサ１３、ファインダ１４、及び赤目ランプ１６がスライドバリア部材１８に覆われる（図２）。
【００１３】
図３は、図１のデジタルカメラ１５の上面図であり、図４は、図２のデジタルカメラ１５の底面図である。
【００１４】
図３及び図４において、デジタルカメラ１５は、その上面においてレリーズボタン１１と、ストロボ発光モードボタン１２とを備え、その底面において三脚取り付け部２１と、後述するメモリーカードドライブ３６及びバッテリー挿入部（不図示）が内部に設けられたカードバッテリーカバー２２とを備える。また、デジタルカメラ１５の一方の側面には、ストラップ保持手段２０が設けられ、他方の側面には外部入出力端子取付部１９が設けられている。
【００１５】
図５は、図２のデジタルカメラ１５を使用者側から見た側面図である。
【００１６】
図５において、デジタルカメラ１５は、その背面において複数のボタンからなる操作ボタン２４、ＬＣＤからなるディスプレイ２５、ズームボタン２３、及びファインダ接眼部１４ａを備える。
【００１７】
操作ボタン２４のいずれか１つが押下されることにより、各ボタンに対応して設定されたデジタルカメラ１５の動作モード、例えば撮影モード、再生モード、又は動画撮影モードが選択される。
【００１８】
ディスプレイ２５は、画像表示手段であり、後述するメモリ３４に保存された画像データやメモリーカードから読み込んだ画像データを画面上に表示する。また、上記動作モードを選択すると、複数の撮影データを縮小して画面表示する。
【００１９】
図６は、図１のデジタルカメラ１５の構成を概略的に示すブロック図である。
【００２０】
図６において、デジタルカメラ１５の制御系は、ＣＰＵ４０、ＲＯＭ３９、及びＲＡＭ４１で構成され、バス３８を介してレリーズボタン１１、操作ボタン２４、ディスプレイ２５、スライドバリア部材１８の動作に連動する電源スイッチ１８ａ、メモリ３４、圧縮伸張手段３５、及びメモリーカードドライブ３６の各構成要素が接続されている。ＲＯＭ３９には、後述の各構成要素を制御する制御プログラムが記憶されている。また、ＲＡＭ４１には各制御プログラムに必要なデータが記憶されている。
【００２１】
また、バス３８を介して上記制御系と接続された駆動回路３７には、撮影レンズ鏡筒１０をズームモータにより駆動させるズームモータ駆動手段２６、フォーカス手段２７をフォーカスモータにより駆動させるフォーカスモータ駆動手段２８、シャッタ手段３０を駆動するシャッタ駆動手段２９、絞り手段４３を駆動する絞り駆動手段４４、測光センサ１１３ａ及び測距センサ１３ｂで構成される測光測距センサ、ＣＣＤやＣＭＯＳ等の撮像デバイス４２、及びストロボ１７が接続されており、上記制御系からの信号により各駆動手段の駆動を制御する。
【００２２】
上記のように構成されるデジタルカメラ１５では、使用者がスライドバリア部材１８をスライドさせて電源スイッチ１８ａをＯＦＦからＯＮにすると、ＣＰＵ４０はＲＯＭ３９から必要な制御プログラムを読み出して初期動作を開始する。すなわち、スライドバリア部材１８のバリア開動作を行った後、撮影レンズ鏡筒１０を所定の撮影可能領域に移動させることにより、デジタルカメラ１５が撮影スタンバイ状態になる。
【００２３】
撮影を行うためにレリーズボタン１１を押下すると、測光センサ１３ａにより被写体の明るさを測光し、その測光値に基づいて、絞り値やシャッタスピードを決定すると共にストロボ１７の発光の要否を判断する。尚、操作ボタン２４の操作により、強制的なストロボ発光の有無を予め選択することもできる。次に、測距センサ１３ｂによりデジタルカメラ１５から被写体までの距離を測定し、測定された距離に基づいてフォーカスモータ駆動手段２８を駆動することによりフォーカス手段２７を所定のフォーカス位置へ移動させる。その後、シャッタ手段３０の開閉を行い、所望の画像を撮像デバイス４２に取り込む。
【００２４】
撮像デバイス４２には、露光制御値に基づいて撮影レンズ鏡筒１０から入射した光の光量に応じた電荷が蓄積され、その電荷が画像データに変換されてアナログ信号処理手段３１に出力される。
【００２５】
アナログ信号処理手段３１では、取り込まれた画像データにアナログ処理を施し、画像データから得られたアナログデータをＡ／Ｄ変換部３２に出力する。Ａ／Ｄ変換部３２では取り込まれたアナログデータをデジタルデータに変換し、このデジタルデータをデジタル信号処理手段３３に出力する。デジタル信号処理手段３３では、Ａ／Ｄ変換部３２から出力されたデジタルデータの各種処理が行われる。各種処理が行われた画像データは一時的にメモリ３４に記憶される。
【００２６】
圧縮伸張手段３５では、操作ボタン２４の操作に基づいて、メモリ３４に記憶された画像データにＪＰＥＧやＴＩＦＦ等の圧縮加工等を施し、圧縮加工された画像データを再度メモリ３４に記憶する。尚、メモリ３４を具備しないデジタルカメラの場合は、デジタル信号処理手段３３で処理された画像データを圧縮伸張手段３５に出力し、圧縮加工された画像データをメモリーカードドライブ３６に記憶する。
【００２７】
また、メモリ３４に記憶された画像データやメモリーカードドライブ３６に記憶されている画像データに、圧縮伸張手段３５により伸張処理を施し、伸張処理が施された画像をバス３８を介してディスプレイ２５に表示することができる。ディスプレイ２５に表示されている画像を使用者が見ることで、その画像が不必要である場合は、操作ボタン２４の操作により、メモリ３４又はメモリーカードドライブ３６に記憶された画像データを消去することができる。
【００２８】
デジタルカメラ１５の背面には、上述のようにズームボタン２３が配置されており、ズームボタン２３の操作により駆動回路３７を介してズームモータ駆動手段２６の駆動を制御し、撮影レンズ鏡筒１０をレンズの光軸方向に移動させる。また、ディスプレイ２５上に表示されている画像をズームボタン２３の操作により拡大及び縮小する、いわゆるデジタルズームを行うことができる。
【００２９】
次に、デジタルカメラ１５の鏡筒ユニットの構成について説明する。
【００３０】
図７は、図６における撮影レンズ鏡筒１０を有する鏡筒ユニットの内部構成を概略的に示す分解斜視図である。
【００３１】
図７において、鏡筒ユニットは、第１レンズ群１０ａを保持する第１レンズ保持手段１０と、第１レンズ保持手段１０と係合する第１のカムが設けられた第１カム手段１と、第１レンズ保持手段１０の直進を規制する直進規制手段８と、第２レンズ群を保持する第２レンズ保持手段２（他のレンズ保持手段）と、第３レンズ群を保持する第３レンズ保持手段（レンズ保持手段）３と、後述する第１鏡筒構成手段５と一体的に組み込まれる第２カム手段４と、第２レンズ保持手段２と係合する第２のカムが内部に設けられると共に、第２カム手段４と一体的に光軸方向に移動し得る第１鏡筒構成手段５と、第１鏡筒構成手段５と係合する第３のカムが設けられた第３カム手段６と、第３カム手段６と係合すると共にズームモータ駆動手段２６により複数のギアを介して回転する鏡筒回転手段７とを備える。
【００３２】
この鏡筒ユニットでは、レンズ群１０ａを保持する第１レンズ保持手段１０、第２レンズ保持手段２、及び第３レンズ保持手段３を光軸方向に移動することにより、光学の変倍ズームを行っている。
【００３３】
第１レンズ保持手段１０は、第１カム手段１の内部に設けられた第１のカムにより光軸方向に移動可能であり、直進規制手段８に設けられた回転規制部８ａにより回転規制される。第１カム手段１は、後述する貫通カム４ａにより繰り出し動作を行い、第１鏡筒構成手段５により回転力を得ている。
【００３４】
第２レンズ保持手段２は、直進規制手段８に設けられた回転規制部８ｂにより回転規制され、第１鏡筒構成手段５の内部に設けられた第２のカムにより光軸方向に沿って前後移動する。
【００３５】
第３レンズ保持手段３は、第２カム手段４に直進規制されており、第１鏡筒構成手段５の内部に設けられている第２のカムにより光軸方向に移動可能である。このとき、第１鏡筒構成手段５は第２カム手段４と一体的に移動する。
【００３６】
また、第１鏡筒構成手段５は、第３カム手段６に設けられた第３のカムにより光軸方向に移動可能であり、ズームモータ駆動手段２６から鏡筒回転手段７及び第３カム手段６を介して伝達された駆動力により回転移動する。
【００３７】
図８は、図７における第２レンズ保持手段２及び第３レンズ保持手段３近傍の拡大斜視図である。
【００３８】
図８において、鏡筒ユニットは、第３レンズ保持手段３と同軸上に設けられたＡＦレンズ保持手段９と、ＡＦレンズ保持手段９に光軸方向に移動可能に支持された第４レンズ保持手段４７と、フォーカスモータ駆動手段２８により駆動されるフォーカスモータからの駆動力を第４レンズ保持手段４７に伝達するリードスクリューからなるＡＦレンズ駆動手段４８と、ＡＦレンズ保持手段９に設けられ第４レンズ保持手段４７の移動を規制するＡＦガイドバー（離間部材）４９とを備える。ＡＦレンズ保持手段９、第４レンズ保持手段４７、ＡＦレンズ駆動手段４８、及びＡＦガイドバー４９は、フォーカス手段２７を構成する。
【００３９】
鏡筒ユニットの焦点を合わせるときは、第４レンズ保持手段４７を光軸方向に移動させることによりピント位置を合わせる。このとき、ＡＦレンズ駆動手段４８がフォーカスモータからの駆動力によって回転することにより、第４レンズ保持手段４７が不図示のナット機構により光軸方向に移動する。また、第４レンズ保持手段４７はＡＦガイドバー４９により直進規制される。
【００４０】
ＡＦガイドバー４９はＡＦガイドバー保持部９ａを有し、ＡＦガイドバー保持部９ａは、第４レンズ保持手段４７の必要駆動範囲に応じてＡＦレンズ保持手段９から光軸方向に沿って突出するように設けられる。したがって、第４レンズ保持手段４７の必要駆動範囲が大きい場合は、ＡＦガイドバー保持部９ａの突出長さが通常より大きくなる。
【００４１】
図９は、鏡筒不使用状態における第３レンズ保持手段３及びＡＦレンズ保持手段９の拡大斜視図である。
【００４２】
図９に示すように、鏡筒を使用せず鏡筒ユニットを収納させた場合には、第４レンズ保持手段４７の必要駆動範囲に応じて、ＡＦガイドバー４９が第３レンズ保持手段３に光軸方向に重なるように設けられる。したがって、第３レンズ保持手段３には、ＡＦガイドバー４９と第３レンズ保持手段３との干渉を防ぐために、第３レンズ保持手段３にＡＦガイドバー４９用貫通口としての開口部５０が設けられている。
【００４３】
ここで、デジタルカメラや銀塩カメラ等の光学機器は、有害光が外部から鏡筒ユニットの内部に進入したときは使用できなくなるため、使用時には有害光が進入し得る開口部等を閉口する必要が生じる。
【００４４】
従来では、鏡筒ユニットの内部に蛇腹状の筒を設け、レンズ周辺を蛇腹状の筒で囲うことにより有害光が進入しないようにしたり、第３レンズ保持手段３に開口部を設けない代わりに、ＡＦガイドバー４９が第３レンズ保持手段３と光軸方向に重ならないように設けられている。しかし、この場合、上述したように、鏡筒ユニットの内部に蛇腹状の筒を配置するスペースを設けたり、鏡筒ユニットの収納が不完全となって光学機器全体が大型化するという問題がある。
【００４５】
図１０は、図９の第２レンズ保持手段２、第３レンズ保持手段３、及びＡＦレンズ保持手段９の展開斜視図であり、図１１は、鏡筒不使用状態における第２レンズ保持手段２、第３レンズ保持手段３、及びＡＦレンズ保持手段９の斜視図である。
【００４６】
図１０において、鏡筒ユニットは、開口部５０を閉鎖するべく第３レンズ保持手段３において光軸方向に関して第２レンズ保持手段２側の端部に移動可能に設けられた閉鎖部材４６と、第２レンズ保持手段２において光軸方向に関して第３レンズ保持手段３側の端部に設けられ閉鎖部材４６を開口部５０に当接させる当接部材２ａとを有する。ＡＦガイドバー４９、閉鎖部材４６、及び当接部材２ａは遮光構造体を構成する。当接部材２ａが、移動可能に設けられた閉鎖部材４６を開口部５０に当接させることにより、開口部５０から進入する有害光が遮光される。また、当接部材２ａが第３レンズ保持手段３と同軸上に配された第２レンズ保持手段２に設けられることにより、閉鎖部材４６を開口部５０に当接させるための専用の部材を用いることなく遮光性能を向上させることができる。
【００４７】
閉鎖部材４６は、第３レンズ保持手段３に固定された固定部４６ａと、固定部４６ａに移動可能に固定された可動部４６ｂとを有し、鏡筒使用時は開口部５０を閉口すると共に鏡筒不使用時は可動部４６ｂが固定部４６ａに対して折れ曲がることにより開口部５０を開口する。
【００４８】
鏡筒不使用状態にあるときは、図９に示すように、ＡＦガイドバー４９は、閉鎖部材４６の可動部４６ｂを押圧することにより閉鎖部材４６を開口部５０から離間させる。これにより、閉鎖部材４６による開口部５０の開口を制御することができる。また、ＡＦガイドバー保持部９ａが第３レンズ保持手段３の開口部５０から突出するようにＡＦレンズ保持手段９と第３レンズ保持手段３とを配置する。これにより、第３レンズ保持手段３をＡＦレンズ保持手段９に近接する位置に配設することができ、鏡筒ユニット全体を小型化することができる。
【００４９】
一方、鏡筒使用状態であるときは、図８に示すように、第２レンズ保持手段２と第３レンズ保持手段３を近接させ、当接部材２ａは、閉鎖部材４６の可動部４６ｂを開口部５０側に押圧することにより閉鎖部材４６を開口部５０に当接させる。したがって、鏡筒使用状態では、可動部４６ｂが開口部５０と確実に当接し、開口部５０から進入し得る有害光が確実に遮光される。これにより、閉鎖部材４６による開口部５０の閉口を制御することができる。
【００５０】
さらに、鏡筒不使用状態では、図１１に示すように、第２レンズ保持手段２、第３レンズ保持手段３、及びＡＦレンズ保持手段９を最大まで近接させることができ、鏡筒ユニット全体をさらに小型化することができる。
【００５１】
図１２は、電源ＯＮから撮影終了までのデジタルカメラ１５の動作を示すフローチャートである。
【００５２】
図１２において、使用者がデジタルカメラ１５の電源をＯＮすると（ステップＳ１１）、ＣＰＵ４０がズームモータ駆動手段２６に指令を送り、ズームモータ駆動手段２６を時計回りに回転（ＣＷ回転）させる（ステップＳ１２）。その後、所定の動作を行って撮影レンズ鏡筒手段１０を撮影位置に移動し（ステップＳ１３）、撮影レンズ鏡筒手段１０の移動を停止する。このとき、図８に示すように、第２レンズ保持手段２と第３レンズ保持手段３とが近接した状態となり、また、ＡＦガイドバー４９が開口部５０から退出することにより、閉鎖部材４６の可動部４６ｂが開口部５０を閉口する位置に移動する。
【００５３】
次に、使用者がレリーズボタンをＯＮすると（ステップＳ１４）、測光センサ１３ａによる測光を行い（ステップＳ１５）、被写体の輝度情報を得る。得られた輝度情報が既定の輝度より高輝度であるか否かを判別し（ステップＳ１６）、高輝度の場合は絞り手段４３を光軸内に挿入し（ステップＳ１７）、入射光量を変化させる。得られた輝度情報が既定の輝度より低輝度の場合は（ステップＳ１６でＮＯ）、絞り手段４３の動作は行わず光軸より退避した状態にして、ステップＳ１８に進む。
【００５４】
その後、フォーカス手段２７を被写体のピントが合う位置に移動して（ステップＳ１８）、画像の取り込みを開始する（ステップＳ１９）。次に、シャッタ手段３０を作動させることにより開状態から閉状態に移動し（ステップＳ２０）、入射光量を遮り、画像取り込みを終了する（ステップＳ２１）。その後、絞り手段４３を光軸から退避させ（ステップＳ２２）、フォーカス手段を初期位置に移動して（ステップＳ２３）、撮影動作が終了する。このとき、図１１に示すように、第２レンズ保持手段２、第３レンズ保持手段３、及びＡＦレンズ保持手段９が近接した状態となり、ＡＦガイドバー４９が開口部５０から突出することにより閉鎖部材４６の可動部４６ｂが開口部５０を開口する位置に移動する。
【００５５】
図１３は、電源ＯＦＦにした場合におけるデジタルカメラ１５の動作を示すフローチャートである。
【００５６】
図１３において、使用者がデジタルカメラ１５の電源をＯＦＦすると（ステップＳ３１）、シャッタ手段３０を閉位置に移動させ（ステップＳ３２）、絞り手段４３が退避位置にいることを確認した後（ステップＳ３３）、ズームモータを反時計回りに回転（ＣＣＷ回転）させ（ステップＳ３４）、さらに、撮影レンズ鏡筒１０を所定の位置に収納させる（ステップＳ３５）。
【００５７】
図１４は、図１２のフローチャートの変形例を示す図である。
【００５８】
図１４において、使用者がデジタルカメラ１５の電源をＯＮすると（ステップＳ４１）、ＣＰＵ４０がズームモータ駆動手段２６に指令を送り、ズームモータ駆動手段２６を時計回りに回転（ＣＷ回転）させる（ステップＳ４２）。その後、所定の動作を行って撮影レンズ鏡筒手段１０を第１の停止位置に移動し（ステップＳ４３）、撮影レンズ鏡筒手段１０の移動を停止する。ここで、第１の停止位置とは、実際に撮影時には使用しない位置であり、第２レンズ保持手段２と第３レンズ保持手段３とが近接した状態である。このとき、ＡＦガイドバー４９が開口部５０から退出することにより閉鎖部材４６の可動部４６ｂが開口部５０を閉口する位置に移動すると共に、当接部材２ａが可動部４６ｂを押圧することにより可動部４６ｂを開口部５０に当接させる。その後、当接部材２ａが閉鎖部材４６を開口部５０に当接させた後、第２レンズ保持手段２を図１０に示す撮影位置に移動することによりＡＦガイドバー４９と可動部４６ｂとを離間させる。これにより、デジタルカメラ１５が撮影可能状態となる。
【００５９】
次に、使用者がレリーズボタンをＯＮすると（ステップＳ４５）、測光センサ１３ａによる測光を行い（ステップＳ４６）、被写体の輝度情報を得る。得られた輝度情報が既定の輝度より高輝度であるか否かを判別し（ステップＳ４７）、高輝度の場合は絞り手段４３を光軸内に挿入し（ステップＳ４８）、入射光量を変化させる。得られた輝度情報が既定の輝度より低輝度の場合は（ステップＳ４７でＮＯ）、絞り手段４３の動作は行わず光軸より退避した状態にして、ステップＳ４９に進む。
【００６０】
その後、フォーカス手段２７を被写体のピントが合う位置に移動して（ステップＳ４９）、画像の取り込みを開始する（ステップＳ５０）。次に、シャッタ手段３０を作動させることにより開状態から閉状態に移動し（ステップＳ５１）、入射光量を遮り、画像取り込みを終了する（ステップＳ５２）。その後、絞り手段４３を光軸から退避させ（ステップＳ５３）、フォーカス手段を初期位置に移動して（ステップＳ５４）、撮影動作が終了する。このとき、図１１に示すように、第２レンズ保持手段２、第３レンズ保持手段３、及びＡＦレンズ保持手段９が近接した状態となり、閉鎖部材４６の可動部４６ｂは開口部５０を開口する位置に移動している。
【００６１】
上述したように、本実施の形態によれば、当接部材２ａが、移動可能に設けられた閉鎖部材４６を開口部５０に当接させるので、ＡＦレンズ保持手段９と係合するように設けられた開口部５０から進入する光を確実に遮光することができ、もって小型化を実現すると共に確実な遮光性能を得ることができる。また、光学系を含む鏡筒ユニットが収納されている状態、すなわち鏡筒不使用状態で長時間放置された後に鏡筒使用状態になった場合に、閉鎖部材４６の形状が回復せず可動部４６ｂが開口部５０に当接していないときでも、当接部材２ａが閉鎖部材４６を開口部５０に当接させることにより、開口部５０から進入する有害光を確実に遮光することができる。
【００６２】
また、第２のレンズ保持手段２が、当接部材２ａが閉鎖部材４６を開口部５０に当接させた後、当接部材２ａと閉鎖部材４６とを離間させるので、当接部材２ａと閉鎖部材４６とが夫々単独で移動可能に設けられ、これにより、確実な遮光性能を保ちつつ自由度のある動作を得ることができる。
【００６３】
本実施の形態では、閉鎖部材４６は、第３レンズ保持手段３に固定された固定部４６ａと、固定部４６ａに移動可能に固定された可動部４６ｂとを有するが、これに限るものではなく、固定部４６ａと可動部４６ｂとが一体的に成形された弾性体からなるものであってもよい。
【００６４】
本実施の形態では、遮光構造体を備えるデジタルカメラ１５を例として説明しているが、これに限定されず、ビデオカメラや銀塩フィルムを使用するアナログカメラ等に遮光構造体を適用することができる。
【図面の簡単な説明】
【００６５】
【図１】本発明の実施の形態に係る鏡筒を備えるデジタルカメラの撮影時の状態を概略的に示す斜視図である。
【図２】図１のデジタルカメラの非撮影時の状態を概略的に示す斜視図である。
【図３】図１のデジタルカメラの上面図である。
【図４】図２のデジタルカメラの底面図である。
【図５】図２のデジタルカメラを使用者側から見た側面図である。
【図６】図１のデジタルカメラの構成を概略的に示すブロック図である。
【図７】図６における撮影レンズ鏡筒を有する鏡筒ユニットの構成を概略的に示す斜視図である。
【図８】図７における第２レンズ保持手段及び第３レンズ保持手段近傍の拡大斜視図である。
【図９】鏡筒不使用状態における第３レンズ保持手段及びＡＦレンズ保持手段の拡大斜視図である。
【図１０】図９の第２レンズ保持手段、第３レンズ保持手段、及びＡＦレンズ保持手段の展開斜視図である。
【図１１】鏡筒不使用状態における第２レンズ保持手段、第３レンズ保持手段、及びＡＦレンズ保持手段の斜視図である。
【図１２】電源ＯＮから撮影終了までのデジタルカメラの動作を示すフローチャートである。
【図１３】電源ＯＦＦにした場合におけるデジタルカメラの動作を示すフローチャートである。
【図１４】図１２のフローチャートの変形例を示す図である。
【符号の説明】
【００６６】
２  第２レンズ保持手段
２ａ  当接部材
３  第３レンズ保持手段
９  ＡＦレンズ保持手段
１５  デジタルカメラ
４６  閉鎖部材
４６ａ  固定部
４６ｂ  可動部
５０  開口部
【図１】
0004810156.tif 000002
【図２】
0004810156.tif 000003
【図３】
0004810156.tif 000004
【図４】
0004810156.tif 000005
【図５】
0004810156.tif 000006
【図６】
0004810156.tif 000007
【図７】
0004810156.tif 000008
【図８】
0004810156.tif 000009
【図９】
0004810156.tif 000010
【図１０】
0004810156.tif 000011
【図１１】
0004810156.tif 000012
【図１２】
0004810156.tif 000013
【図１３】
0004810156.tif 000014
【図１４】
0004810156.tif 000015